(57)【要約】【課題】複数の音声信号のレベルが一定値以下の場合に、ディレイ値を変更することでディレイ値を設定する際のノイズを省いた音声調整卓を提供する。【解決手段】音声調整卓１には、入力する音声信号に対して、ディレイ値の設定を行う指令を出力する制御部２と、制御部２の指令により、入力する音声信号のディレイ値を変更する信号処理部４とを備える。この信号処理部４は、音声信号ごとにディレイ値を変更するディレイ制御部４１と、音声信号のレベルが一定値以下であるかを検知するレベル検知部４３と、レベル検知部に入力する音声信号のレベルが一定値以下の場合に、ディレイ制御部に対してディレイ切替指令を出力するディレイ切替指定部４４とを備える。そして、ディレイ切替指定部４４は、入力する全ての音声信号のレベルが一定値以下の場合に、ディレイ制御部４１に対してディレイ切替指令を出力する。【選択図】図１
2011139381.tif 000002
【特許請求の範囲】
【請求項１】
調整対象となる音声信号を複数のチャンネルに入力し、
この音声信号に対して、ディレイ値の設定を行う指令を出力する制御部と、
前記制御部の指令により、各チャンネルに入力する音声信号のディレイ値を変更する信号処理部とを備える音声調整卓において、
前記信号処理部は、
音声信号のディレイ値を変更するディレイ制御部と、
音声信号のレベルが一定値以下であるかを検知するレベル検知部と、
前記レベル検知部に入力する音声信号のレベルが一定値以下の場合に、前記ディレイ制御部に対してディレイ変更指令を出力するディレイ切替指定部とを備え、
前記ディレイ切替指定部は、全てのチャンネルのレベル検知部での音声信号のレベルが一定値以下の場合に、ディレイ制御部に対してディレイ切替指令を出力することを特徴とする音声調整卓。
【請求項２】
入力する音声信号をディレイ値が同一となるディレイグループごとに仕分けるグループディレイ設定部を有し、
前記ディレイ切替指定部は、ディレイグループ内の全てのチャンネルのレベル検知部での音声信号のレベルが一定値以下の場合に、ディレイ制御部に対してディレイ切替指令を出力することを特徴とする請求項１に記載の音声調整卓。
【請求項３】
前記グループディレイ設定部が、ユーザが任意の識別番号及び名称を付けた音声信号を、ユーザの入力に基づいてディレイ値が同一となるようなディレイグループに分けるものであることを特徴とする請求項２に記載の音声調整卓。
【発明の詳細な説明】
【技術分野】
【０００１】
本発明は、入力する音声信号のレベルが一定値以下となった時にディレイ値を変更することで、ディレイ値を設定する際のノイズを省き、高品位なミキシングを可能にした入力信号の遅延調整機能を持つ音声調整卓に関する。
【背景技術】
【０００２】
入力信号の遅延調整機能を持つ音声調整卓には、音声調整卓に入力する各入力信号の遅延量を調整するノブが付いている。ユーザはこのノブを調整することにより、各入力信号の遅延量を変更する。放送局の場合は、番組開始前に、予め決められた遅延量を音声調整卓のノブにより設定する。また、デジタルミキサでは、コピー＆ペースト機能により遅延量を設定することや、他の入力機器などでも設定することができる。
【０００３】
遅延量を変更する最大の要因は、マイクなどから出力される音声信号と、カメラから出力される音声と映像のずれである。例えば、屋内のスタジオなどに固定してあるマイクやカメラなどの機材を使用する場合には、予めこのずれを登録しておくことが可能である。
【０００４】
一方、既存のシステムに新しい機材を持ってきた場合や、放送局の中継用の回線の場合では、突発的な遅延量の変更が発生する。このため、音声信号を確認しながらの音声信号の遅延量の調整（ミキシング作業）が必要となる。しかしながら、ミキシング作業時に音声信号の遅延量を変更すると、図６に示すように、音声信号の信号電圧に不連続な部分が生じ、これがクリック状のノイズとして出力される。このため、中継回線に対するミキシング作業では、音声が不自然にならないように、オペレータが適当なタイミングで遅延量を変更する必要がある。
【０００５】
そこで、引用文献１のように、音声信号の遅延量を変更した場合に、フェーダーレベルを下げることにより、ノイズを発生させない方法が知られている。引用文献１の発明では、音声信号の変化時におけるノイズを低減するために、ディレイ値の変更の際に、音声信号のレベルを下げると共にディレイ値の変更を行う。そして、ディレイ値の変更後に音声信号のレベルを元に戻すという発明である。これにより、音声信号に信号電圧にノイズが発生した場合でも、音声信号のレベルが低くなっているので、ノイズを抑えることができる。
【先行技術文献】
【特許文献】
【０００６】
【特許文献１】特開2002-305727号公報
【発明の概要】
【発明が解決しようとする課題】
【０００７】
しかしながら、実際の放送番組を制作する場合には、複数の中継回線を利用することがある。また、１つの中継回線において複数の音声信号のディレイ値の変更が必要になる場合がある。しかも、放送番組を制作するための音声調整卓は複数の再生装置を備えているので、特許文献１の発明を利用した音声調整卓では、調整が必要な音声信号が複数存在する場合、調整が必要な音声信号ごとにディレイ値を設定する必要がある。すなわち、調整が必要な音声信号が単一音声回線ではない場合、同じ遅延量設定を複数音声入力回線に対して、設定する必要がある。このような、同じ作業を繰り返し行うことは設定ミスにつながる。
【０００８】
本発明は上述した課題を解決するためになされたものであり、その目的は、音声調整卓の各チャンネルに入力する音声信号のレベルを監視し、各チャンネルの音声信号のレベルが、一定値以下となった時に全てのチャンネルのディレイ値を同じタイミングで変更することで、ディレイ値の変更の手間を大幅に省いた高品質なプログラムを制作できる音声調整卓を提供することである。
【課題を解決するための手段】
【０００９】
上記目的をふまえ、本発明の音声調整卓は、調整対象となる音声信号を複数のチャンネルに入力し、この音声信号に対して、ディレイ値の設定を行う指令を出力する制御部と、前記制御部の指令により、各チャンネルに入力する音声信号のディレイ値を変更する信号処理部とを備え、前記信号処理部は、音声信号のディレイ値を変更するディレイ制御部と、音声信号のレベルが一定値以下であるかを検知するレベル検知部と、レベル検知部に入力する音声信号のレベルが一定値以下の場合に、ディレイ制御部に対してディレイ変更指令を出力するディレイ切替指定部とを備え、前記ディレイ切替指定部は、全てのチャンネルのレベル検知部での音声信号のレベルが一定値以下の場合に、ディレイ制御部に対してディレイ切替指令を出力することを特徴とする。
【００１０】
なお、任意のチャンネル同士を組み合わせてディレイ値を設定をするために、入力する音声信号をディレイ値が同一となるディレイグループごとに仕分けしたり、そのディレイグループ内の全てのチャンネルの音声信号のレベルが一定値以下の場合に、ディレイ値を変更したりすることも本発明の一態様である。
【発明の効果】
【００１１】
以上のような本発明によれば、複数の音声信号のディレイ値を変更する際に、全ての音声信号のレベルが一定値以下の場合にディレイ値を変更する。これにより、複数の音声信号のディレイ値を同時に変更できると共に、ディレイ値の変更によるノイズを抑えることができるので、人間がノイズと検知しないレベルでディレイ値の変更を行うことができるので、より高品質なプログラムの制作が可能となる。
【図面の簡単な説明】
【００１２】
【図１】本発明の実施例１による音声調整システムの構成を示す図。
【図２】本発明の実施例１における操作部及び表示部の一例を示す図。
【図３】本発明の実施例１における音声調整卓の内部の構成を示した図。
【図４】本発明の実施例２による音声調整システムの構成を示す図。
【図５】本発明の実施例２における表示部に表示される表示を示した図。
【図６】従来のディレイ調整システムによりディレイ値を変更した場合の音声信号の電圧の変化を示す図。
【発明を実施するための形態】
【００１３】
以下、本発明の実施例を図面を参照して説明する。各実施例で同一または類似の構成部分には、共通の符号を付し、重複する説明は省略する。
【実施例１】
【００１４】
［１−１．構成］
図１は、本発明に係る実施例１の遅延量を設定する音声調整システムの構成を示すブロック図である。図２は、本発明の実施例１における操作部及び表示部の一例を示す図であり、図３は、実施例１の遅延量を設定する音声調整システムの音声調整卓の内部の構成を示したブロック図である。
【００１５】
図１は、音声調整卓の制御を行うための構成を示した図である。１は音声調整卓であって、複数の入力端子を備え、この入力端子に入力した音声信号は音声調整卓１内部の各チャンネルに入力する。音声調整卓１は、各チャンネルに入力した音声信号に対して、ディレイ値を設定する。この音声調整卓１は、制御部２、信号処理部４、操作部７、表示部８を有する。前記制御部２は、信号処理部４、操作部７及び表示部８と接続される。ユーザが操作する操作部７からの出力に基づいて、信号処理部４を制御する。この制御部２は、音声調整卓１に入力する各チャンネルの音声信号のディレイ値を設定するディレイ設定部２１を備える。
【００１６】
４は信号処理部であり、制御部２の出力側に接続され、制御部２からの指令により、音声調整卓１に入力した各チャンネルの音声信号のディレイ値を変更する。この信号処理部４の出力側は、放送出力回線に繋がるミックスバスＭＩＸ ＢＵＳに接続されており、この出力回線から信号処理部４でディレイ値を調整された音声信号が出力される。
【００１７】
図２は、操作部７及び表示部８の一部を示した図である。操作部７としては、ディレイ調整つまみ７１及びフェード調整つまみ７２が設けられる。ユーザは、これらの調整つまみを操作することにより、希望する音声信号のディレイ値を入力することができる。一方、表示部８としては、ディレイ表示板８１及び入力回線表示板８２が設けられる。このディレイ表示板８１には、各チャンネルのディレイ値の値を表示する。入力回線表示板８２には、音声調整卓上で遅延量を変更するチャンネルごとの名称を表示する。
【００１８】
図３は、音声調整卓１の内部の構造を示した図である。音声調整卓１に入力した音声信号は、信号処理部４を備えたチャンネルに接続される。４１は、各チャンネルの信号処理部４に設けられたディレイ制御部であり、制御部２からの出力に基づいて、各チャンネルに入力した音声信号のディレイ値を制御する。４２はバッファであって、音声信号の高域のノイズや電源のノイズを除去するものである。このバッファ４２には、入力した音声信号の一部が入力し、出力側にはレベル検知部４３が接続される。レベル検知部４３は、入力した音声信号のレベルを検知するものであり、信号のレベルが一定値以下である場合に、それを示す信号を出力する。
【００１９】
このレベル検知部４３の出力側は、ディレイ切替指定部４４と接続するが、同じチャンネル内のディレイ切替指定部４４だけでなく、全てのチャンネルのディレイ切替指定部４４と接続する。すなわち、各レベル検知部４３から出力したレベル一定値以下を示す信号は、分岐し、全ての信号処理部４に設けられたディレイ切替指定部４４に入力する。
【００２０】
ディレイ切替指定部４４の出力側は、ディレイ制御部４１と接続しており、ディレイ切替指定部４４からは、ディレイ制御部４１に対して、ディレイ切替指令が出力される。このディレイ切替指定部４４は、各チャンネルの全てのレベル検知部４３から、レベル変更指令が入力された場合に、ディレイ制御部４１に対して、ディレイ切替指令を出力する。
【００２１】
［１−２．作用］
このような構成を有する実施例１では、ユーザが設定したディレイ値に変更する場合は、各チャンネルの音声信号のレベルを検知し、全てのチャンネルの音声信号のレベルが、あるレベル以下になった時点でディレイ値を変更する。以下、この際の作用を、順に説明する。
【００２２】
ユーザは操作部７で、いずれかのチャンネルに入力する音声信号のディレイ値を入力する。ユーザが指定したディレイ値は、操作部７の出力として出力され、制御部２に伝達され、ディレイ設定部２１に入力される。ディレイ設定部２１では、変更する音声信号のディレイ値が入力された場合には、信号処理部４の該当する音声信号が入力するチャンネルに対して、変更するディレイ値を出力する。ディレイ設定部２１より出力されたディレイ値は、ユーザーが変更を指令した音声信号が入力するチャンネルに設けられた信号処理部４に入力する。この信号処理部４では、ディレイ設定部２１より出力されたディレイ値が、信号処理部４内部に設けられたディレイ制御部４１に変更後のディレイ値として入力する。
【００２３】
一方、各チャンネルの信号処理部４は、入力する音声信号のレベルを、バッファ４２を介して、レベル検知部４３により検知している。そのため、音声信号のレベルに変化がある場合は、その変化を検出することができる。各チャンネルのレベル検知部４３では、音声信号のレベルが一定値以下になった場合に、全てのチャンネルの信号処理部４に設けられたディレイ切替指定部４４に対して、レベル一定以下を示す信号を出力する。
【００２４】
レベル切替指定部４４では、すべての信号処理部４に設けられたレベル検知部４３からのレベル一定以下を示す信号が入力されるよう接続されており、全てチャンネルに設けられたレベル検知部４３からレベル一定以下を示す信号が入力された場合に、ディレイ制御部４１に対して、ディレイ切替指令を出力する。
【００２５】
各チャンネルのディレイ制御部４１では、ディレイ切替指定部４４からディレイ切替指令を受信した場合に、音声信号のディレイ値を制御部２のディレイ設定部２１から出力された値に変更する。
【００２６】
［１−３．効果］
以上の通り、この実施例においては、音声信号のディレイ値を変更する際に、全ての音声信号のレベルが一定値以下の場合にディレイ値を変更する。これにより、音声信号のディレイ値を容易に変更できると共に、ディレイ値の変更によるノイズを抑えることができるので、人間がノイズと検知しないレベルでディレイ値の変更を行うことができるので、より高品質なプログラムの制作が可能となる。
【実施例２】
【００２７】
本発明の実施例２の発明は、実施例１の構成に、音声調整卓１に入力する音声信号をディレイ値が同一となるディレイグループごとに仕分けするグループディレイ設定部を追加したものである。
【００２８】
［２−１．構成］
図４は、本発明に係る実施例２の遅延量を設定する音声調整システムの構成を示すブロック図である。図４中の２２はグループディレイ設定部であり、音声調整卓１に入力する各チャンネルの音声信号を、ディレイ値を同期するディレイグループに仕分けするものである。
【００２９】
［２−２．作用］
（ディレイ値を同期されるディレイグループの設定について）
以上のような構成を有する実施例２では、ディレイ値を同期させるディレイグループに対して、ユーザがディレイ値を設定する。以下、実施例２の作用を、音声調整卓１の表示部８の表示に従って説明する。
【００３０】
図５（ａ）は、音声調整卓１に入力する複数のチャンネルの音声信号を、１つのディレイグループとする際の表示部８の表示例である。表示部８には、識別番号、名称、ディレイグループ、ディレイ値が表示される。これらのうち、名称、ディレイグループは、ユーザが操作部７や音声調整卓１と接続したキーボードやマウスなどを使用することにより任意に設定することができる。識別番号の表示は、音声調整卓１に入力した音声信号ごとに付与される識別番号の表示である。名称の表示は、識別番号が付与された音声信号の名称である。
【００３１】
ユーザは、音声調整卓１に入力する音声信号が、どの場所から出力された音声信号であるかを明確にするために、識別番号ごとに名称の表示を設定することができる。ディレイグループの表示は、番号が同じ音声信号を１つのグループとする時に、各音声信号にどの番号が設定されているかの表示である。
【００３２】
ユーザは各音声信号に対して、ディレイグループの番号を付与することにより、音声信号を希望するディレイグループに仕分けるよう設定することができる。ディレイ値の表示は、音声調整卓１に入力した音声信号ごとのディレイ値の表示である。ここに表示されるディレイ値は、後述の図５（ｂ）の表示画面で設定したディレイ値や、操作部７に設けられたディレイ調整つまみ７１により、ユーザが希望するディレイ値に設定したディレイ値と対応している。操作部７に設けられたディレイ調整つまみ７１により、ディレイ値を設定する際には、ディレイグループ内のいずれか１つの音声信号のディレイ調整つまみ７１を操作することにより、ディレイグループ全体のディレイ値を変更するとしてもよい。
【００３３】
図５（ｂ）は、ディレイ設定部２１で、音声信号に対してディレイ値の設定を行う際の表示部８の表示例である。表示部８には、ディレイグループ、ディレイグループ名称設定、ディレイ値が表示される。ディレイ値は、ユーザが操作部７などを使用することにより任意に設定することができる。ディレイグループに表示される番号は、図５（ａ）の表示画面で設定したディレイグループ番号と対応している。ディレイ値の表示は、ディレイグループごとのディレイ値の表示であり、ユーザが設定するディレイ値が表示される。
【００３４】
また、図５（ｂ）の表示は、図５（ｃ）のように表示しても良い。図５（ｃ）では、図５（ｂ）の表示に加えて、各ディレイグループの名称を設定するディレイグループ名称設定欄を付け加えたものである。このディレイグループ名称設定欄で設定するディレイグループ名称は、それぞれのディレイグループに、ユーザは操作部７などを使用することにより設定する名称である。これにより、各音声信号が属するディレイグループが、どのような場所から出力された音声信号をまとめたディレイグループであるかを明確にすることができる。
【００３５】
（ディレイ値の変更時について）
グループディレイ設定部２２で設定したディレイグループに属する音声信号に対して、ユーザが設定したディレイ値に変更する場合は、ディレイグループ内の音声信号のレベルを検知し、あるレベル以下になった場合にディレイ値を変更する。
【００３６】
ユーザは、操作部７において、ディレイ値を同期するディレイグループ内のいずれか１つのチャンネルに入力する音声信号のディレイ値を入力する。操作部７からの出力は、制御部２に伝達され、ディレイ設定部２１に入力される。ディレイ設定部２１では、変更するディレイ値が入力された場合は、ディレイグループ内の全てのチャンネルの信号処理部４に対して、変更するディレイ値が出力される。信号処理部４では、ディレイ設定部２１より出力されたディレイ値が、ディレイ制御部４１に変更後のディレイ値として入力される。
【００３７】
ディレイグループ内のチャンネルのレベル検知部４３では、音声信号のレベルが一定値以下になった場合に、ディレイグループ内のチャンネルの信号処理部４に設けられたディレイ切替指定部４４に対して、レベル一定以下を示す信号を出力する。レベル切替指定部４４では、ディレイグループ内の全てのチャンネルに設けられたレベル検知部４３からレベル一定以下を示す信号が入力された場合に、ディレイ制御部４１に対して、ディレイ切替指令を出力する。ディレイグループ内の各チャンネルのディレイ制御部４１では、ディレイ切替指定部４４からディレイ切替指令を受信した場合に、音声信号のディレイ値を制御部２のディレイ設定部２１から出力された値に変更する。
【００３８】
［２−３．効果］
以上の通り、この実施例においては、ディレイグループに属する１つの音声信号のディレイ値を変更すると、このディレイグループに属する全ての音声信号のディレイ値を変更することができる。これにより、実施例１の効果に加えて、任意のチャンネル同士を組み合わせてディレイ値の設定を行うことができるので、より高品質なプログラムの制作が可能となる。
【実施例３】
【００３９】
本発明は、前記のような実施例に加えて、以下のような他の実施例も包含する。
音声信号のディレイ値を変更する際に、フェードイン及びフェードアウトを行うことにより、ディレイ値の変更によるノイズを抑えてもよい。この時のフェードイン及びフェードアウトの間隔は５ｍｓｅｃ程度とすることが望ましく、短すぎると信号処理部４が音声信号のディレイ値の変更を完了をさせる前に、フェードインしてしまう。また、フェードインの間隔が長すぎると、フェードアウトしている間隔が長くなり、音声信号の連続性が失われる。これにより、任意のタイミングで全ての音声信号のレベルを一定値以下とすることができ、より高品質なプログラムの制作が可能となる。
【符号の説明】
【００４０】
１…音声調整卓
２…制御部
４…信号処理部
４１…ディレイ制御部
４２…バッファ
４３…レベル検知部
４４…ディレイ切替指定部
７…操作部
７１…ディレイ調整つまみ
７２…フェード調整つまみ
８…表示部
８１…ディレイ表示板
８２…入力回線表示板 
【図１】
2011139381.tif 000003
【図２】
2011139381.tif 000004
【図３】
2011139381.tif 000005
【図４】
2011139381.tif 000006
【図５】
2011139381.tif 000007
【図６】
2011139381.tif 000008